(57)【要約】【課題】初期費用だけでなく、メンテナンス費用も節約でき、特別な機器を必要とせずに、入浴者に快適な入浴環境を与える。【解決手段】浴槽上縁面の保温機構は、側部５が内層６と外層７の２層構造を有する浴槽１と、内外層間において、上方が開放され、断熱防水処理した底板８と左右の横仕切板９とで形成され、内層６の通湯部１０を通って浴槽１内の温水が出入りする保温槽２と、保温槽２を着脱自在に覆うことができ、裏面を断熱処理し、熱伝導率の大きい板状の保温部３と、保温部３裏面の断熱未処理箇所に上端を連接し、保温槽２内に鉛直に設けられ、下方部分４ａが温水内に浸される、熱伝導率の大きい材料の複数の熱伝導部４とで構成され、熱伝導部４から保温部３へ浴槽１内の温水熱を伝えて、保温部３の表面温度を摂氏２０度乃至３８度状態とする【選択図】  図１
0003134728.tif 000002
【実用新案登録請求の範囲】
【請求項１】
入浴者が出入りする浴槽上縁面部分に設けられる、熱伝導率の大きな材料の保温部と、
一端が前記保温部に連接し、他端が浴槽内の温水に浸り、熱伝導率の大きな材料の熱伝導部とで構成され、
前記熱伝導部から前記保温部へ浴槽内の温水熱を伝えて、前記保温部の表面温度を摂氏２０度乃至３８度状態とすること、を特徴とする浴槽上縁面の保温機構。
【請求項２】
少なくとも一辺の側部が内層と外層の２層構造を有する浴槽と、
前記２層側部の入浴者の出入りする位置の内外層間において、上方が開放され、断熱防水処理した底板と左右の横仕切板とで形成され、内層に設けた複数の通湯部を通って浴槽内の温水が自由に出入りできる保温槽と、
前記保温槽の上方を着脱自在に覆うことができ、裏面を断熱処理し、熱伝導率の大きい板状の保温部と、
前記保温部の裏面の断熱未処理箇所に上端を連接し、前記保温槽内に鉛直に設けられ、下方部分が温水内に浸される、熱伝導率の大きい材料の複数の熱伝導部とで構成され、
前記熱伝導部から前記保温部へ浴槽内の温水熱を伝えて、前記保温部の表面温度を摂氏２０度乃至３８度状態とすること、を特徴とする浴槽上縁面の保温機構。
【請求項３】
上記熱伝導部がヒートパイプであることを特徴とする、請求項２に記載される浴槽上縁面の保温機構。
【請求項４】
浴槽の側部において、入浴者の出入りする位置の上端付近を外側へ突き出し、出窓風に形成される保温槽と、
断面逆さＬ字状の熱伝導率の大きい板材であり、前記保温槽の上方と側方を着脱自在に覆うことができ、上横面が浴槽上縁面に相当し、縦面が浴槽内側面に相当し、縦面の下方部分が温水内に浸される熱伝導体とで構成され、
前記熱伝導体の上横面が裏面を断熱処理される保温部であり、縦面が熱伝導部であり、
前記熱伝導部から前記保温部へ浴槽内の温水熱を伝えて、前記保温部の表面温度を摂氏２０度乃至３８度状態とすること、を特徴とする浴槽上縁面の保温機構。
【請求項５】
断面逆さＬ字状の熱伝導率の大きい板材であり、上横面が保温部であり、縦面が熱伝導部であり、
前記保温部が裏面を断熱処理され、浴槽の上縁面に着脱自在であり、前記熱伝導部の下方部分が、浴槽の内側面に接触することなく、浴槽内の温水に浸かり、
前記熱伝導部から前記保温部へ浴槽内の温水熱を伝えて、前記保温部の表面温度を摂氏２０度乃至３８度状態とすること、を特徴とする保温具。
【考案の詳細な説明】
【技術分野】
【０００１】
本考案は、浴槽上縁面を保温する機構と、その保温機構を利用した保温具に関する。
【背景技術】
【０００２】
近年、一戸建て、マンション、アパート等の建物に関係なく、一戸毎に風呂場が設置されるのが一般的となっている。この風呂場で使用される一般的な浴槽が、日本工業規格に規定されており（ＪＩＳ  Ａ  ５５３２，Ａ  ５７１２）、材料としては、鋳鉄ほうろう，鋼鉄ほうろう，ステンレス鋼鈑，熱硬化性プラスチックが使用されている。他には、木製浴槽、陶製タイルを張った浴槽も従来から存在する。これらの浴槽材料自体の熱伝導率が大きくないため、温水が張られた場合でも、浴槽上縁面の表面温度は外気温とほとんど変わらない。通常は、浴槽上縁面の裏面に何も設けない場合（例えば、特許文献１）、保温材を設ける場合（例えば、特許文献２）であって、特に浴槽の上縁面に対して保温手段を講じる技術は存在しない。
【０００３】
他方、本願と直接関係しないが、枕代わりに浴槽の上縁面自体を保温させる技術として、特許文献３に開示される浴槽上縁面の内側に電気ヒータを設け、温水パイプをも利用する技術がある。また、特許文献４に開示される技術では、ポンプで送った循環温水を利用する枕が浴槽上縁面上に設けられる。
【０００４】
【特許文献１】実用新案登録第３１１６６６９号公報、図３
【特許文献２】実開昭６２−２９６５号公報、第１図
【特許文献３】実開平５−５５９８３号公報
【特許文献４】実開平５−９３８５号公報
【考案の開示】
【考案が解決しようとする課題】
【０００５】
上述の保温手段の無い浴槽では、特に冬場、入浴者が浴槽に入る時、浴槽上縁面に触れると冷たさを感じて入浴時の楽しさを減殺し不快を感じるだけでなく、心臓疾患等の刺激に注意を要する入浴者にとっては、危険因子となる等の問題がある。
【０００６】
他方、浴槽における枕の関する保温技術（上記特許文献３，特許文献４）を利用して、上縁面を保温することもできる。しかし、これらの技術は電気を使い、ヒータ、ポンプ等といった特別な機器をも必要とし、湿気の多い浴室では、漏電防止等の諸工事が必要となり、初期費用が大きいだけでなく、機器等のメンテンナンス費用も軽視できないという問題がある。
【０００７】
本考案は上述した問題に鑑みてなされたもので、その目的とするところは、初期費用だけでなく、メンテナンス費用も節約でき、特別な機器を必要とせずに、入浴者に快適な入浴環境を与える浴槽上縁面の保温機構と、その機構を利用する保温具とを提供することである。
【課題を解決するための手段】
【０００８】
上記目的を達成するため、請求項１に係る浴槽上縁面の保温機構は、
入浴者が出入りする浴槽上縁面部分に設けられる、熱伝導率の大きな材料の保温部と、
一端が前記保温部に連接し、他端が浴槽内の温水に浸り、熱伝導率の大きな材料の熱伝導部とで構成され、
前記熱伝導部から前記保温部へ浴槽内の温水熱を伝えて、前記保温部の表面温度を摂氏２０度乃至３８度状態とする。
【０００９】
また、請求項２に係る浴槽上縁面の保温機構は、
少なくとも一辺の側部が内層と外層の２層構造を有する浴槽と、
前記２層側部の入浴者の出入りする位置の内外層間において、上方が開放され、断熱防水処理した底板と左右の横仕切板とで形成され、内層に設けた複数の通湯部を通って浴槽内の温水が自由に出入りできる保温槽と、
前記保温槽の上方を着脱自在に覆うことができ、裏面を断熱処理し、熱伝導率の大きい板状の保温部と、
前記保温部の裏面の断熱未処理箇所に上端を連接し、前記保温槽内に鉛直に設けられ、下方部分が温水内に浸される、熱伝導率の大きい材料の複数の熱伝導部とで構成され、
前記熱伝導部から前記保温部へ浴槽内の温水熱を伝えて、前記保温部の表面温度を摂氏２０度乃至３８度状態とする。
【００１０】
また、請求項３に係る浴槽上縁面の保温機構は、前記請求項２に対して、
上記熱伝導部がヒートパイプである。
【００１１】
また、請求項４に係る浴槽上縁面の保温機構は、
浴槽の側部において、入浴者の出入りする位置の上端付近を外側へ突き出し、出窓風に形成される保温槽と、
断面逆さＬ字状の熱伝導率の大きい板材であり、前記保温槽の上方と側方を着脱自在に覆うことができ、上横面が浴槽上縁面に相当し、縦面が浴槽内側面に相当し、縦面の下方部分が温水内に浸される熱伝導体とで構成され、
前記熱伝導体の上横面が裏面を断熱処理される保温部であり、縦面が熱伝導部であり、
前記熱伝導部から前記保温部へ浴槽内の温水熱を伝えて、前記保温部の表面温度を摂氏２０度乃至３８度状態とする。
【００１２】
また、請求項５に係る保温具は、
断面逆さＬ字状の熱伝導率の大きい板材であり、上横面が保温部であり、縦面が熱伝導部であり、
前記保温部が裏面を断熱処理され、浴槽の上縁面に着脱自在であり、前記熱伝導部の下方部分が、浴槽の内側面に接触することなく、浴槽内の温水に浸かり、
前記熱伝導部から前記保温部へ浴槽内の温水熱を伝えて、前記保温部の表面温度を摂氏２０度乃至３８度状態とする。
【考案の効果】
【００１３】
上述した請求項１から請求項５に係る浴槽上縁面の保温機構と保温具であれば、初期費用だけでなく、メンテナンス費用も節約でき、特別な機器を必要とせず、入浴者に快適な入浴環境を与えることができる。また、請求項２に係る保温機構は、熱伝導部の個数調整によって保温部の温度調整を容易にできる。また、請求項３に係る保温機構は、ヒートパイプによって効率的に熱を伝えることができる。更に、請求項５に係る保温具であれば、各種材料の浴槽であっても、また、設置済みの浴槽であっても簡単に使用でき、初期費用は保温具だけで済み、メンテナンスフリーでもある。
【考案を実施するための最良の形態】
【００１４】
以下に、請求項２に対応する第１実施形態を図面を参照して説明する。第１実施形態の浴槽上縁面の保温機構は、図１に示すように、浴槽１に対して、保温槽２と保温部３と熱伝導部４とを設ける構成である。浴槽１は、四辺の側部５のうち少なくとも一辺を内層６と外層７との二層構造とする。ここで少なくとも一辺の側部５とする理由を説明する。即ち、浴槽１の設置方法には、据置き形と埋込み形とがある。据置き形は、浴室内の壁面又は床面に埋め込まれることなく自由に設置でき、四方向から浴槽１に入れるため、四辺の側部５に設ける必要がある。他方、埋込み形は、浴室内の壁面又は床面に埋め込まれるもので、浴室内で位置が指定される。しかも、浴槽１の取付け位置から見ると、側部５の一面から三面までが、任意に壁に埋め込み可能であるので、最小でも一辺から浴槽１に入れることとなるためである。また、内外層６，７の二層構造は、内外層間を断熱構造の空気層等とする場合だけでなく、外層７がエプロンとして設けられる場合も含まれる。エプロンは上縁面から浴槽の下方を覆うためのもので、別に設けたもの、又は浴槽と一体成型された垂下長さが１５０ｍｍ以上の部分をいう（ＪＩＳ  Ａ  ５５３２参照）。
【００１５】
保温槽２は、側部５であって入浴者の出入りする位置の内外層間において、上方が開放状態とされ、断熱防水処理した底板８と左右の横仕切板９とで形成される。また、内層６には、複数の通湯部１０が設けられ、浴槽１内の温水が自由に出入りできる。この通湯部１０を通る温水が、保温槽２内の温水温度を浴槽１内の温度に可及的に近づける。このため、通湯部１０の数量，形状は、保温槽２内の目標温度に対応して決定される。従って、図１に示す通湯部１０は円孔であるが、この円形に限定されることなく、方形，多角形，だ円等他の形状を選択できる。更に、通湯部１０は金属，合成樹脂材を編んだ網目状，格子状の部材として内層６に窓を設けて嵌め込める構成も採用できる。
【００１６】
保温部３は、保温槽２の上方を着脱自在に覆うことができ、取付けられると保温部３の表面が浴槽１の上縁面１ａと連続して形成される。また、保温部３は、熱伝導率の大きな材料である銅製又はアルミニウム製の板状となっており、裏面が断熱処理され、内層６と外層７の上端６ａ，７ａへの取り付けを可能とする取付部１１が両側裏に設けられる。保温部３の板厚は、表面の目標温度に合わせて選択される。この目標温度は、入浴者の体温に近い摂氏３０度から摂氏３８度程度が最適の表面温度であり、冬場を考慮すると最低摂氏２０度程度であるため、摂氏２０度から摂氏３８度の範囲となる。これらの温度は、入浴者にとって快適温度であると、本考案者自身が試したものである。なお、材料は銅，アルミニウムに限定されることなく熱伝導率が大きければ、他のものが選択可能である。この取付部１１は合成樹脂材又はゴム材にて内外層６，７の上端６ａ，７ａを挟持可能又は嵌合可能となっている。
【００１７】
熱伝導部４は、図１に示すように、複数の長方形板を鉛直に配設したもので、熱伝導率の大きい銅製，アルミニウム製である。この長方形板の厚さと縦横長さは、目標とする熱伝導効率に対応させて採用される。即ち、温水の温度に合わせて保温部３の表面温度が、目標温度となる摂氏２０度から摂氏３８度の範囲内になるように、最終的には試作品を使って試行錯誤的に決定される。熱伝導部４は、上端が保温部３の裏面の断熱未処理箇所へ連接され、保温槽２内に鉛直に設けられ、熱伝導部４の下方部分４ａが温水内に浸され受熱される。保温部３との連接状態も、固定状態だけに限定されず、着脱自在状態も採用でき、熱伝導部４の個数調整によって保温部３への伝熱量を調整できる。熱伝導部４は、図１に示す長方形板に限定されることなく、形状、個数も熱伝導効率を考慮して各種採用できる。例えば、ハニカム構造と言った立体形状も採用できる。
【００１８】
次に、上述した第１実施形態の保温機構の作動について説明する。先ず、浴槽１に温水が張られると、通湯部１０を通って温水が保温槽２内に満たされ、保温槽２内の温水温度は浴槽１内と可及的に同じ温度になる。次に、熱伝導部４は保温槽２内の温水から受けた温水熱を保温部３へ伝える。保温部３は、熱伝導部４から伝わった温水熱によって表面温度を、入浴者の体温に近い最適の摂氏３０度乃至３８度状態とする。冬場であれば、摂氏２０度を最低温度とする場合もある。この時、断熱処理された保温部３裏面から熱が逃げることはない。これによって、特に冬場、入浴者が浴槽１に触れても冷たさを感じて入浴時の楽しさを減殺し不快を感じることもなく、心臓疾患等の刺激に注意を要する入浴者にとっても、危険因子となることはない。なお、着脱自在の熱伝導部４であれば、設置個数によって保温部３の温度調整が容易にできる。他方、保温部３の表面は浴槽１の上縁面１ａと連続しており、デザイン的にも不自然とならない。また、保温部３は着脱自在であるため、保温槽２の上方が開放状態となり、内部掃除等のメンテナンスも容易である。このため、ヒータ、モータ等の特別な機器、電気配線等も必要なく、初期費用が最小限ですむだけでなく。メンテナンス容易なために、メンテナンス費用も可及的に節約できる。なお、保温部３が熱伝導率の小さい材料を使い、熱伝導部４を無くした構成の蓋体とすれば、浴槽１の上縁面１ａを保温させる必要のないときも対応できる。
【００１９】
次に、請求項３に対応する第２実施形態について説明する。第２実施形態の浴槽上縁面の保温機構は、第１実施形態に対して、熱伝導部４が異なり、銅板等でなくヒートパイプを使用する構成である。他の構成部材は同じである。ヒートパイプは、作動流体に水等を利用する汎用品を採用できる。保温機構の作動はほぼ同じであり詳細な説明を省略するが、銅板等に比べてヒートパイプは効率的に熱を伝えることが可能である。
【００２０】
次に、請求項４に対応する第３実施形態について説明する。第３実施形態の浴槽上縁面の保温機構は、図２と図３に示すように、浴槽１２，１３に対して、保温槽１４と熱伝導体１５とを設ける構成である。図２（イ）に示す浴槽１２は一層の側部１６であり、図２（ロ）に示す浴槽１３は内外層１７ａ，１７ｂの二層構造の側部１７である。このため、第３実施形態の場合は、第１実施形態の二層構造の浴槽１に限定されることがない。
【００２１】
保温槽１４は、図２（イ）に示す浴槽１２の側部１６の上端付近を外側へ突き出して出窓風に形成され、図２（ロ）に示す浴槽１３では内層１７ａの上端付近を突き出して外層１７ｂ側へ出窓風に形成される。図２の突出量Ｄは、保温槽１４の必要とする熱量を考慮して準備すべき温水量によって適宜決定される。保温槽１４の上端１６ａ，上縁面１３ａは、浴槽１２，１３の他の上縁面１２ａ，１３ａより低くなっており、保温部１８の表面と浴槽１２，１３の上縁面１２ａ，１３ａとの高さを揃えている（図３参照）。
【００２２】
熱伝導体１５は、熱伝導率の大きい銅製又はアルミニウム製の断面逆さＬ字状の長板であり、上横面が保温部１８であり、縦面が熱伝導部１９である。また、熱伝導体１５が保温槽１４の上方と内側方を着脱自在に覆えるように、保温部１８裏側の取付部２０を介して、側部１６の上端１６ａ（図２イ参照）又は浴槽１３の上縁面１３ａ（図２ロ参照）に取付けられる。熱伝導体１５が、図２（イ）（ロ），図３に示すように、保温槽１４を覆う様に設けられる。この時、保温部１８は、浴槽１２，１３の上縁面１２ａ，１３ａに対して高さを合わせて連続する。熱伝導部１９は浴槽１２，１３の内側面１２ｂ，１３ｂと面一となって下方部分１９ａが温水に浸され、下端１９ｂと浴槽１２，１３との間に隙間１９ｃを設ける。熱伝導部１９は、図３に示すように、複数の通湯部１０を有する長方形である。この通湯部１０を通る温水が、保温槽１４内の温水温度を浴槽１２，１３内の温度に可及的に近づける。この通湯部１０は、上述第１実施形態の通湯部１０と同様に各種選択可能である。また、保温部１８，熱伝導部１９の厚さ、平面形状は、保温部１８の表面の目標温度に対応させて各種のものが採用される。目標温度については、第１実施形態と同様に冬場も考慮して摂氏２０度から摂氏３８度の範囲内とされる。なお、図中符号２１は、入浴者が体重を掛ける等の力が加えられた場合、熱伝導部１９の曲がりを防止するためのスペーサであり、固定又は着脱自在となっている。また、熱伝導体１５の材料は、銅製等に限定されることなく、上述第1実施形態の場合と同様に熱伝導率の大きい材料を選択できる。
【００２３】
次に、第３実施形態の保温機構の作動について説明する。浴槽１２，１３に温水が張られると、通湯部１０と熱伝導部１９下を通って温水が保温槽１４内も満たされ、保温槽１４内の温水温度は浴槽１２，１３内と可及的に同じ温度になる。次に、熱伝導部１９は保温槽１４側温水から裏面へ熱を受け、浴槽１２，１３側から表面へ受け、この受けた温水熱を保温部１８へ伝える。保温部１８は、熱伝導部１９から伝わった温水熱によって表面温度を、入浴者の体温に近い最適の摂氏３０度乃至３８度状態とする。また、最低摂氏２０度も冬場を考慮して選択できる。これによって、特に冬場、入浴者が浴槽１２，１３に触れても冷たさを感じて入浴時の楽しさを減殺し不快を感じることもなく、心臓疾患等の刺激に注意を要する入浴者にとっても、危険因子となることはない。ここで、熱伝導体１５が浴槽に取り付けられた場合、保温部１８が上縁面１２ａ，１３ａと同じ高さであり、熱伝導部１９が内側面１２ｂ，１３ｂと面一であるため、デザイン的にすっきりし、入浴者は浴槽内において違和感を受けることはない。他方、熱伝導体１５が外された場合、保温槽１４が浴槽１２，１３、と一体となり、掃除等のメンテナンスも容易となる。このため、ヒータ、モータ等の特別な機器、電気配線等も必要なく、初期費用が最小限ですむだけでなく。メンテナンス容易なために、メンテナンス費用も可及的に節約できる。
【００２４】
次に、請求項５に対応する第４実施形態について説明する。第４実施形態の保温具２２は、図４と図5に示すように、熱伝導率の大きい銅製又はアルミニウム製の断面逆さＬ字状の長板であり、上横面が保温部２３であり、縦面が熱伝導部２４である。材料は、銅製等に限定されることなく、上述第1実施形態の場合と同様に熱伝導率の大きい材料を選択できる。
【００２５】
保温部２３は裏面が断熱処理され、浴槽２５の上縁面２５ａに対して着脱自在とする取付部２６を裏面に有する。熱伝導部２４は、図５に示すよう、略長方形であり、浴槽２５の内側面２５ｂに接触することなく、浴槽２５内の温水に下方部分２４ａが浸かっている。保温部２３，熱伝導部２４の厚さ、平面形状は、上述第３実施形態と同様に、保温部２３の表面温度の目標値に対応させて各種のものが採用される。なお、第３実施形態と異なり、保温槽１４が浴槽２５そのものであるため、通湯部１０を必ず設ける必要がない。スペーサ２１は熱伝導部２４の裏面に設けられて内側面２５ｂとの接触を防ぐだけでなく、熱伝導部２４の変形を防止するもので、第３実施形態と同様である。
【００２６】
次に、第４実施形態の保温具２２の作動について説明する。先ず、浴槽の種類に係らず、また、設置済み浴槽の場合であっても、浴槽２５の上縁面２５ａと内側面２５ｂへ保温具２２を取付ける。この取付動作は、浴槽２５に温水を張った後でも、これから張る前でもよい。次に、熱伝導部２４は浴槽２５内の温水から表裏面を通して受けた温水熱を保温部２３へ伝える。スペーサ２１によって内側面２５ｂとの間隔が確保され、熱が逃げることはない。保温部２３は、熱伝導部２４から伝わった温水熱によって表面温度を、入浴者の体温に近い最適の摂氏３０度乃至３８度状態とする。また、最低摂氏２０度も冬場を考慮して選択できる。そして、特に冬場、入浴者が浴槽２５に触れても冷たさを感じて入浴時の楽しさを減殺し不快を感じることもなく、心臓疾患等の刺激に注意を要する入浴者にとっても、危険因子となることはない。他方、保温具２２が不要であれば、浴槽２５に対して着脱自在であるため、簡単に外すことができる。従って、特にメンテナンス不要である。このため、ヒータ、モータ等の特別な機器、電気配線等も必要なく、初期費用は保温具２２だけで済み、メンテナンスフリーでもある。
【００２７】
最後に、請求項１に係る浴槽上縁面の保温機構は、上述した第１実施形態から第４実施形態の上位概念に相当する。即ち、第１乃至第４実施形態の上位概念の保温部は、入浴者が出入りする浴槽上縁面部分に設けられる、熱伝導率の大きな材料の保温部である。また、第１乃至第４実施形態の上位概念の熱伝導部は、一端が保温部に連接し、他端が浴槽内の温水に浸り、熱伝導率の大きな材料の熱伝導部である。そして、請求項１に係る保温機構は、この保温部と熱伝導部とで構成され、熱伝導部から保温部へ浴槽内の温水熱を伝えて、保温部の表面温度を摂氏２０度乃至３８度状態とする。従って、請求項１に係る保温機構の詳細な構成と作動の説明は、上述の第１実施形態等の説明と重複するためこれを省略する。
【図面の簡単な説明】
【００２８】
【図１】第１実施形態の主要部の断面斜視図である。
【図２】イは第３実施形態の一層側部の浴槽へ取付けられた保温部と熱伝導部の断面図であり、ロは二層構造の浴槽の場合の断面図である。
【図３】同上の正面図である。
【図４】第４実施形態の保温具が浴槽に取付けられた状態を示す断面図である。
【図５】同上の正面図である。
【符号の説明】
【００２９】
１，１２，１３，２５  浴槽  ２，１４  保温槽  ３，１８，２３  保温部  ４，１９，２４  熱伝導部  １５  熱伝導体  ５，１６，１７  側部  ６，１７ａ  内層  ７、１７ｂ  外層  ２２  保温具  ８  底板  ９  横仕切板  １０  通湯部  １１，２０，２６  取付部  ２１  スペーサ  １ａ，１２ａ，１３ａ，２５ａ  上縁面  １２ｂ，１３ｂ，２５ｂ  内側面
【図１】
0003134728.tif 000003
【図２】
0003134728.tif 000004
【図３】
0003134728.tif 000005
【図４】
0003134728.tif 000006
【図５】
0003134728.tif 000007